【手続補正書】
【提出日】平成16年6月18日(2004.6.18)
【手続補正１】
【補正対象書類名】明細書
【補正対象項目名】発明の名称
【補正方法】変更
【補正の内容】
【発明の名称】インクジェット式記録装置の保管方法、及び記録ヘッドの保管方法並びに保管用包袋
【手続補正２】
【補正対象書類名】明細書
【補正対象項目名】特許請求の範囲
【補正方法】変更
【補正の内容】
【特許請求の範囲】
【請求項１】
ノズル開口からインク滴を吐出するインクジェット式の記録ヘッドと該記録ヘッド内のインクを吸引する吸引手段とが設けられたインクジェット式記録装置の保管方法であって、ガスバリア性を有する再密閉可能な保管用包袋の中に前記インクジェット式記録装置を入れ、前記吸引手段により前記記録ヘッド内のインクを吸引した状態で、前記保管用包袋の開口部からのガスの流出入を遮断して保管することを特徴とするインクジェット式記録装置の保管方法。
【請求項２】
前記インクジェット式記録装置は、更に廃インクトレイ及び廃インク吸収材を備えており、前記記録ヘッド内のインクを前記廃インクトレイに排出させた状態で、前記保管用包袋に入れて保管することを特徴とする請求項１に記載のインクジェット式記録装置の保管方法。
【請求項３】
前記インクジェット式記録装置は、着脱可能に設けられたインクカートリッジよりインクが記録ヘッドに供給される構成であり、前記インクカートリッジを保存液カートリッジに交換し、前記ノズル内及び前記記録ヘッド内のインクを保存液で置換充填若しくは排出した状態で前記保管用包袋に前記インクジェット式記録装置を入れて保管することを特徴とする請求項１又は請求項２に記載のインクジェット式記録装置の保管方法。
【請求項４】
前記保存液は、保湿剤、界面活性剤及び防腐剤を含有する水溶液で粘度が５〜５０ｍＰａ・ｓであることを特徴とする請求項３に記載のインクジェット式記録装置の保管方法。
【請求項５】
インクジェット式記録装置に対して脱着可能に取り付けられる記録ヘッドを保管する方法であって、ガスバリア性を有する再密閉可能な保管用包袋の中に前記記録ヘッドを入れ、前記保管用包袋の開口部からのガスの流出入を遮断して水分供給材と共に保管することを特徴とする記録ヘッドの保管方法。
【請求項６】
請求項１〜請求項４のいずれかに記載のインクジェット式記録装置の保管方法、若しくは請求項５に記載の記録ヘッドの保管方法に用いられる保管用包袋であって、
外層を構成する保護膜層と、中間層を構成するガスバリア性を有する蒸着膜を含む層と、内層を構成する熱溶着可能な層の少なくとも三層以上の層を備えたラミネートフィルムとが形成されていることを特徴とする保管用包袋。
【請求項７】
前記中間層は、外側から順に、アルミナ蒸着膜、ポリエチレンテレフタレート層、シリカ蒸着膜、ナイロン層が形成されていることを特徴とする請求項６に記載の保管用包袋。
【請求項８】
前記中間層は、外側から順に、アルミナ蒸着膜、ポリエチレンテレフタレート層、アルミナ蒸着膜、ナイロン層が形成されていることを特徴とする請求項６に記載の保管用包袋。
【手続補正３】
【補正対象書類名】明細書
【補正対象項目名】０００１
【補正方法】変更
【補正の内容】
【０００１】
【発明の属する技術分野】
本発明は、インクジェット式記録装置の保管方法、及び記録ヘッドの保管方法並びに保管用包袋に関するものである。
【手続補正４】
【補正対象書類名】明細書
【補正対象項目名】０００７
【補正方法】変更
【補正の内容】
【０００７】
本発明は前述した事情に鑑みてなされたものであって、第一の目的は、記録ヘッドが搭載された状態にあるインクジェット式記録装置が、長期間にわたり不使用状態であっても、目詰まりを防止できるインクジェット式記録装置の保管方法を提供することである。第二の目的は、インクジェット式記録装置に着脱可能に設けられた記録ヘッドが、長期間にわたり不使用状態であっても、目詰まりを防止できる記録ヘッドの保管方法を提供することである。第三の目的は、第一，第二の目的を達成するのに適した保管用包袋を提供することである。
【手続補正５】
【補正対象書類名】明細書
【補正対象項目名】０００８
【補正方法】変更
【補正の内容】
【０００８】
【課題を解決するための手段】
前記第一の目的を達成するために請求項１に記載の発明では、ノズル開口からインク滴を吐出するインクジェット式の記録ヘッドと該記録ヘッド内のインクを吸引する吸引手段とが設けられたインクジェット式記録装置の保管方法であって、ガスバリア性を有する再密閉可能な保管用包袋の中に前記インクジェット式記録装置を入れ、前記吸引手段により前記記録ヘッド内のインクを吸引した状態で、前記保管用包袋の開口部からのガスの流出入を遮断して保管する。この発明によれば、インクジェット式記録ヘッドは密閉状態の保管用包袋内に保持されるため、インクの乾燥が抑制される。
【手続補正６】
【補正対象書類名】明細書
【補正対象項目名】０００９
【補正方法】変更
【補正の内容】
【０００９】
請求項２に記載の発明では、請求項１に記載の発明において、前記インクジェット式記録装置は、更に廃インクトレイ及び廃インク吸収材を備えており、前記記録ヘッド内のインクを前記廃インクトレイに排出させた状態で、前記保管用包袋に入れて保管する。この発明によれば、密閉状態の保管用包袋内が廃インク吸収材から蒸発した水分で高湿度となり、よりインクの乾燥が抑制される。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
前記第二の目的を達成するために請求項５に記載の発明では、インクジェット式記録装置に対して脱着可能に取り付けられる記録ヘッドを保管する方法であって、ガスバリア性を有する再密閉可能な保管用包袋の中に前記記録ヘッドを入れ、前記保管用包袋の開口部からのガスの流出入を遮断して水分供給材と共に保管する。この発明によれば、インクジェット式記録装置から取外された記録ヘッドが保管用包袋内に密閉状態で収容される。保管用包袋内は水分供給材から蒸発した水分で高湿度に保たれて、ノズルの目詰まりが防止される。
【手続補正９】
【補正対象書類名】明細書
【補正対象項目名】００１４
【補正方法】変更
【補正の内容】
【００１４】
前記第三の目的を達成するために請求項６に記載の発明では、請求項１〜請求項４のいずれかに記載のインクジェット式記録装置の保管方法、若しくは請求項５に記載の記録ヘッドの保管方法に用いられる保管用包袋は、外層を構成する保護膜層と、中間層を構成するガスバリア性を有する蒸着膜を含む層と、内層を構成する熱溶着可能な層の少なくとも三層以上の層を備えたラミネートフィルムとからなる。この発明によれば、保管用包袋の外層を構成する保護膜層により強度を向上させることができ、内層を構成する熱溶着可能な層の存在により、ヒートシールによって密閉することができる。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
請求項７に記載の発明では、請求項６に記載の発明において、前記中間層は、外側から順に、アルミナ蒸着膜、ポリエチレンテレフタレート層、シリカ蒸着膜、ナイロン層が形成されている。この発明によれば、中間層が４層で形成されているため、保管用包袋の強度が向上する。
【手続補正１４】
【補正対象書類名】明細書
【補正対象項目名】００１９
【補正方法】変更
【補正の内容】
【００１９】
請求項８に記載の発明では、請求項６に記載の発明において、前記中間層は、外側から順に、アルミナ蒸着膜、ポリエチレンテレフタレート層、アルミナ蒸着膜、ナイロン層が形成されている。この発明によれば、中間層が４層で形成されているため、保管用包袋の強度が向上する。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００６３
【補正方法】変更
【補正の内容】
【００６３】
【発明の効果】
以上、詳述したように、請求項１〜請求項４に記載の発明によれば、記録ヘッドが搭載された状態にあるインクジェット式記録装置が、長期間にわたり不使用状態であっても、目詰まりを防止した状態で保管することができる。
【手続補正２０】
【補正対象書類名】明細書
【補正対象項目名】００６４
【補正方法】変更
【補正の内容】
【００６４】
請求項５に記載の発明によれば、インクジェット式記録装置から着脱可能に設けられた記録ヘッドにおいて、記録ヘッドがインクジェット式記録装置から取り外され、長期間にわたり不使用状態であっても、目詰まりを防止した状態で保管することが可能である。また、保管箱を使用する場合と比較して、簡単に保管することが可能である。
【手続補正２１】
【補正対象書類名】明細書
【補正対象項目名】００６５
【補正方法】変更
【補正の内容】
【００６５】
請求項６〜請求項９に記載の発明によれば、請求項１〜請求項５のいずれかの保管方法に使用するのに適している。